(57)【要約】【課題】安価なメカキーを用いて警戒モードの解除を行うことができるセキュリティシステムを提供すること。【解決手段】セキュリティシステム１は、通信機能を有する携帯機１１と、建物のドアまたはドア周辺に設けられた外側アンテナＳＷ３１と、携帯機１１から操作信号を受信し、外側アンテナＳＷ３１が操作された場合にドア錠を施錠するとともに警戒モードに設定し、この警戒モード中に携帯機１１からの操作信号を受信した場合にドア錠を解錠するとともに警戒モードを解除する施解錠制御マイコン３４及びセキュリティ制御マイコン３８と、ドアに設けられたキーシリンダに対してメカキーが所定操作されたことを検出して検出信号を出力するキーシリンダ部２６とを備えている。施解錠制御マイコン３４及びセキュリティ制御マイコン３８は、警戒モード中において所定時間内に前記検出信号を入力した場合に警戒モードを解除する。【選択図】      図４
2005078434.tif 000002
【特許請求の範囲】
【請求項１】
通信機能を有する携帯機と、
建物のドアまたは該ドア周辺に設けられた操作部と、
前記携帯機から操作信号を受信し、前記操作部が操作された場合に前記ドアのドア錠を施錠するとともに警戒モードに設定し、該警戒モード中に前記携帯機からの操作信号を受信した場合に前記ドア錠を解錠するとともに警戒モードを解除する制御手段と、
前記ドアに設けられたキーシリンダに対してメカキーが所定操作されたことを検出して検出信号を出力する検出手段とを備え、
前記制御手段は、前記警戒モード中において所定時間内に前記検出信号を入力した場合に前記警戒モードを解除することを特徴とするセキュリティシステム。
【請求項２】
前記制御手段は、前記操作部が操作されたことに基づいて前記警戒モードを解除することを特徴とする請求項１に記載のセキュリティシステム。
【請求項３】
前記制御手段は、前記警戒モードが解除されているとき、所定時間内に前記検出信号を入力した場合、前記警戒モードに設定することを特徴とする請求項１または請求項２に記載のセキュリティシステム。
【発明の詳細な説明】
【技術分野】
【０００１】
本発明は、建物のセキュリティシステムに関するものである。
【背景技術】
【０００２】
従来、例えば特許文献１に示す「建物用施錠装置の施解錠状態監視装置」が提案されている。この種の施解錠状態監視装置は、警戒モードにおいてドア錠が解錠された場合や窓ガラスが割られた場合に警報を発するようになっている。このため、ユーザは、夜間や外出時に施解錠状態監視装置を警戒モードに設定しておくことにより、建物内への不法侵入を防止できる。
【０００３】
また、ユーザが所持する携帯機とドアに設けられた通信装置との間で無線通信を行うことにより、例えば外出時には簡単な操作で警戒モードに設定でき、帰宅時には携帯機を所持しているだけで警戒モードを解除できるようにしたセキュリティシステムが提案されている。このセキュリティシステムは、携帯機を所持したユーザがドア周辺の所定領域内に進入して屋外に設けられたアンテナスイッチを所定時間内に複数回押圧操作したときに警戒モードを設定し、警戒モード中において携帯機を所持したユーザが前記所定領域内に進入した場合に警戒モードを解除するようになっている。このため、ユーザは暗証コードを入力する等の煩雑な操作を行うことなく警戒モードを設定できるとともに、例えば帰宅時には何ら操作を行うことなく警戒モードを解除できる。
【特許文献１】特開２００２−１１５４２９号公報
【発明の開示】
【発明が解決しようとする課題】
【０００４】
しかしながら、警備会社へ加入する場合、前記セキュリティシステムでは警戒モードの解除に携帯機が必要となるため、ユーザは自らが所有する携帯機とは別に作製した携帯機を警備会社に渡しておかなければならない。通常、携帯機の価格はメカキーに比較して高く、警備会社に加入する際にユーザが負担する費用は大きい。また、携帯機は無線通信を行うための電池を備えているため、警備会社では電池切れの管理も必要になる。
【０００５】
本発明は、こうした実情に鑑みてなされたものであり、その目的は、安価なメカキーを用いて警戒モードの解除を行うことができるセキュリティシステムを提供することにある。
【課題を解決するための手段】
【０００６】
上記の課題を解決するために、請求項１に記載の発明では、通信機能を有する携帯機と、建物のドアまたは該ドア周辺に設けられた操作部と、前記携帯機から操作信号を受信し、前記操作部が操作された場合に前記ドアのドア錠を施錠するとともに警戒モードに設定し、該警戒モード中に前記携帯機からの操作信号を受信した場合に前記ドア錠を解錠するとともに警戒モードを解除する制御手段と、前記ドアに設けられたキーシリンダに対してメカキーが所定操作されたことを検出して検出信号を出力する検出手段とを備え、前記制御手段は、前記警戒モード中において所定時間内に前記検出信号を入力した場合に前記警戒モードを解除することを要旨とする。
【０００７】
請求項２に記載の発明では、前記制御手段は、前記操作部が操作されたことに基づいて前記警戒モードを解除することを要旨とする。
請求項３に記載の発明では、前記制御手段は、前記警戒モードが解除されているとき、所定時間内に前記検出信号を入力した場合、前記警戒モードに設定することを要旨とする。
【０００８】
以下、本発明の作用について説明する。
請求項１に記載の発明によれば、検出手段は、ドアに設けられたキーシリンダに対してメカキーが所定操作されたことを検出して検出信号を出力する。制御手段は、警戒モード中において、所定時間内に検出信号が入力されると警戒モードを解除する。このため、メカキーを用いて所定時間内に所定操作を行うことによって警戒モードを解除できる。従って、安価なメカキーを用いて警戒モードの解除を行うことができる。
【０００９】
請求項２に記載の発明によれば、操作部が操作され、且つ所定時間内に検出信号が入力された場合に警戒モードが解除される。つまり、メカキーにより所定時間内に所定操作が行われても、操作部が操作されない場合にはドア錠が解錠されない。従って、セキュリティシステムのセキュリティ性を向上させることができる。
【００１０】
請求項３に記載の発明によれば、制御手段は、警戒モードが解除されているとき、所定時間内に検出信号が入力されると警戒モードに設定する。従って、安価なメカキーを用いて警戒モードを設定することができる。
【発明の効果】
【００１１】
本発明によれば、安価なメカキーを用いて警戒モードの解除を行なうことができるセキュリティシステムを提供できる。
【発明を実施するための最良の形態】
【００１２】
以下、本発明を住宅用セキュリティシステムとして具体化した一実施形態を図１〜図６に基づき詳細に説明する。
図１に示すように、セキュリティシステム１は、住宅２のユーザ（家人）に所持される携帯機１１と、警備会社等に渡すメカキー１２と、住宅２のドア３内に配設され、携帯機１１と相互通信可能なドア装置１３とを備えている。ドア３には、図２に併せ示すように、ドアハンドル３ａ，３ｂが設けられている。
【００１３】
図４に示すように、携帯機１１は、携帯機側受信回路１４、携帯機側マイクロコンピュータ（携帯機側マイコン）１５、及び携帯機側送信回路１６を備えている。携帯機側マイコン１５には、施錠スイッチ１７及び解錠スイッチ１８が接続されている。
【００１４】
携帯機側受信回路１４は、ドア装置１３から送信されるリクエスト信号を受信アンテナ１９ａを介して受信して、その信号を携帯機側マイコン１５に出力する。
携帯機側マイコン１５は、携帯機側受信回路１４からリクエスト信号が入力されると、予め設定された所定のＩＤコードを含むＩＤ信号を携帯機側送信回路１６に出力する。
【００１５】
施錠スイッチ１７及び解錠スイッチ１８は、携帯機１１の表面に設けられたプッシュスイッチからなり、押圧操作されるとその押圧信号が携帯機側マイコン１５に入力される。携帯機側マイコン１５は、施錠スイッチ１７が操作された場合にはＩＤコードと施錠操作コードとを含む施錠操作信号を出力し、解錠スイッチ１８が操作された場合にはＩＤコードと解錠操作コードとを含む解錠操作信号を出力する。
【００１６】
携帯機側送信回路１６は、携帯機側マイコン１５からＩＤ信号、施錠操作信号及び解錠操作信号のいずれかの信号が入力されると、これら信号（操作信号）を送信アンテナ１９ｂを介して送信する。
【００１７】
図２に示すように、ドア装置１３は、屋外アンテナ部２０、屋内アンテナ部２１、２つのドア錠駆動部２２，２３、施解錠制御部２４、セキュリティ部２５を備えている。
屋外アンテナ部２０は、図３に示すように、ドア３の屋外側面に設けられた検出手段としてのキーシリンダ部２６及び外側アンテナユニット２７を備えている。そして、キーシリンダ部２６及び外側アンテナユニット２７は、一面が開口した略直方体形状のロングカバー２８によって覆われている。このように、キーシリンダ部２６は、ロングカバー２８に覆われることにより外部に露出しないようになっている。また、キーシリンダ部２６は、図示しないキーシリンダを備え、このキーシリンダにメカキー１２を導入可能なキー挿入口２６ａを備えている。
【００１８】
キーシリンダ部２６は、メカキー１２が挿入され、メカキー１２が施錠位置（図３に示す位置）にある場合には施錠位置信号（検出信号）を出力し、メカキー１２が解錠位置（図３に示す位置から９０度回転した位置）にある場合には解錠位置信号（検出信号）を出力する。
【００１９】
ロングカバー２８には鉤状の係合部２８ａが形成されている。また、ドア３において、ロングカバー２８が当接する箇所にはカバー検出スイッチ（カバー検出ＳＷ）２９が配設されている。本実施形態においてカバー検出ＳＷ２９は、メカスイッチにより構成されている。カバー検出ＳＷ２９は、ロングカバー２８がドア３から外されたとき、カバー検出信号を出力する。
【００２０】
外側アンテナユニット２７は、屋外表示部３０及び操作部としての外側アンテナスイッチ（外側アンテナＳＷ）３１を備えている。本実施形態において、屋外表示部３０はＬＥＤであり、外側アンテナＳＷ３１はプッシュスイッチである。そして、両者ともに外側アンテナユニット２７において屋外側面に設けられている。また、ロングカバー２８には、屋外表示部３０及び外側アンテナＳＷ３１と対応する位置にそれぞれの形状より幾分大きめの貫通穴が形成されており、ロングカバー２８がドア３に装着されると、屋外表示部３０及び外側アンテナＳＷ３１は貫通穴を通して屋外に露出する。このため、屋外表示部３０は屋外から視認することができ、外側アンテナＳＷ３１はロングカバー２８をドア３に係合させた状態で押圧操作が可能となっている。
【００２１】
また、外側アンテナユニット２７には、図４に示す屋外側送信アンテナ２７ａと屋外側受信アンテナ２７ｂとが設けられている。屋内アンテナ部２１には、図４に示す屋内側送信アンテナ２１ａと屋内側受信アンテナ２１ｂとが設けられている。
【００２２】
ドア錠駆動部２２，２３はドア３内に配設されており、モータ等のアクチュエータとそのアクチュエータを駆動するドライバ部とによって構成されている（図示略）。
図１及び図２に示すように、ドア３の側面３ｃには、各ドア錠駆動部２２，２３の駆動によって突出するロックバー２２ａ，２３ａがそれぞれ形成されている。そして、これらロックバー２２ａ，２３ａの突出状態でドア錠が施錠状態となり、没入状態でドア錠が解錠状態となる。また、ドア３の屋内側面には、ロックバー２２ａ，２３ａを手動で突出可能な手動ロック手段２２ｂ，２３ｂが形成されている。これら手動ロック手段２２ｂ，２３ｂは、一般的な屋内側施解錠用つまみ（サムターン）である。
【００２３】
また、ロックバー２２ａ，２３ａはキーシリンダ部２６と機械的に連結されており、キー挿入口２６ａに挿入されたメカキー１２の回動操作に連動してドア３の側面３ｃから突出または没入する。詳しくは、挿入されたメカキー１２が施錠位置から解錠位置に回動されると、ロックバー２２ａ，２３ａはドア３の側面３ｃから没入し、メカキー１２が解錠位置から施錠位置に回動されると、ロックバー２２ａ，２３ａはドア３の側面３ｃから突出するようになっている。このため、メカキー１２をキー挿入口２６ａに挿入して、施錠位置から解錠位置に回動するとドア錠が解錠され、これとは反対に解錠位置から施錠位置に回動するとドア錠が施錠される。
【００２４】
図４に示すように、施解錠制御部２４は、ドア側送信回路３２、ドア側受信回路３３、及び制御手段としての施解錠制御用のマイクロコンピュータ（施解錠制御マイコン）３４を備えている。ドア側送信回路３２には送信アンテナ２１ａ，２７ａが接続され、ドア側受信回路３３には受信アンテナ２１ｂ，２７ｂが接続されている。
【００２５】
ドア側送信回路３２は、施解錠制御マイコン３４から出力されるリクエスト信号を送信アンテナ２１ａ，２７ａを介して送信する。このリクエスト信号は、図２に示すように、屋内外におけるドア３の周辺の領域Ａに出力される。すなわち、この領域Ａにおいて携帯機１１と施解錠制御部２４との相互通信が可能となる。
【００２６】
ドア側受信回路３３は、携帯機１１から出力された操作信号を受信アンテナ２１ｂ，２７ｂを介して受信する。そして、ドア側受信回路３３は受信した操作信号を施解錠制御マイコン３４に出力する。
【００２７】
施解錠制御マイコン３４は、具体的には図示しないＣＰＵ、メモリ、タイマ及びカウンタを備えている。メモリには、ＩＤコードと、警戒モードを許可するか否かを判断する閾値となる設定許可時間とが予め記録されている。また、メモリには、リセット回動回数Ｎ１、セット回動回数Ｎ２、リセット設定時間Ｔ１、セット設定時間Ｔ２、及びカバー装着制限時間Ｔ３が予め記録されている。施解錠制御マイコン３４は、メカキー処理（後述する）を所定時間毎に実行する。
【００２８】
施解錠制御マイコン３４には、キーシリンダ部２６、カバー検出ＳＷ２９、屋外表示部３０が接続されている。施解錠制御マイコン３４は、カバー検出ＳＷ２９からカバー検出信号が入力された場合、所定時間（例えば１０秒）経過後にセキュリティ部２５に対してこのカバー検出信号を出力する。
【００２９】
施解錠制御マイコン３４は、各送信アンテナ２１ａ，２７ａから個別のタイミングで択一的にリクエスト信号を出力させる。つまり、一方の送信アンテナ２１ａ（２７ａ）からリクエスト信号が出力されているときには、他方の送信アンテナ２７ａ（２１ａ）からはリクエスト信号が出力されないようになっている。
【００３０】
そして、施解錠制御マイコン３４は、操作信号が入力された場合、操作信号に含まれるＩＤコードと予め記録されたＩＤコードとで照合（ＩＤコード照合）を行なう。施解錠制御マイコン３４にはドア錠駆動部２２，２３が電気的に接続され、ＩＤコード照合が一致したときに施解錠制御マイコン３４は、ドア錠駆動部２２，２３に対して駆動信号を出力する。
【００３１】
詳しくは、施解錠制御マイコン３４は、ＩＤ信号または解錠操作信号からなる操作信号が入力された場合、ドア錠駆動部２２，２３に対してロックバー２２ａ，２３ａを没入させる旨の駆動信号（解錠駆動信号）を出力する。一方、施解錠制御マイコン３４は、ＩＤ信号からなる操作信号が入力されなくなったときや、施錠操作信号から鳴る操作信号が入力されたときには、ドア錠駆動部２２，２３に対してロックバー２２ａ，２３ａを突出させる旨の駆動信号（施錠駆動信号）を出力する。ドア錠駆動部２２，２３は、解錠駆動信号が入力された場合、ロックバー２２ａ，２３ａを没入させてドア錠を解錠して施解錠制御マイコン３４に解錠完了信号を出力する。また、ドア錠駆動部２２，２３は、施錠駆動信号が入力された場合、ロックバー２２ａ，２３ａを突出させてドア錠を施錠して施解錠制御マイコン３４に施錠完了信号を出力する。
【００３２】
また、施解錠制御マイコン３４は、携帯機１１を所持したユーザに外側アンテナＳＷ３１が操作されたときにドア錠駆動部２２，２３に対して施錠駆動信号を出力し、ドア錠を施錠させるとともにタイマを作動させる。そして、施解錠制御マイコン３４は、タイマが設定許可時間を経過する前に外側アンテナＳＷ３１が再度操作されると、セキュリティ部２５に対して警戒モード設定信号を出力する。
【００３３】
セキュリティ部２５は、住宅２内に設置され、異常検知センサ３５、警報部３６、屋内表示部３７、及び制御手段としてのセキュリティ制御用のマイクロコンピュータ（セキュリティ制御マイコン）３８を備えている。異常検知センサ３５は、住宅２の窓ガラスが割られたことを検知してセキュリティ制御マイコン３８に異常検知信号を出力する。セキュリティ制御マイコン３８には、警報部３６及び屋内表示部３７が接続されている。また、セキュリティ制御マイコン３８は、施解錠制御マイコン３４に接続されている。
【００３４】
屋内表示部３７は、本実施形態においてはＬＥＤである。警報部３６は、例えばブザーやスピーカによって構成され、セキュリティ制御マイコン３８からの作動信号に基づいて作動する。
【００３５】
セキュリティ制御マイコン３８は、ドア錠駆動部２２，２３から出力される施錠完了信号を施解錠制御マイコン３４を介して検知したとき、ドア錠が施錠されていると判断する。この状態において、施解錠制御マイコン３４から警戒モード設定信号が入力された場合、セキュリティ制御マイコン３８は、異常検知センサ３５からの異常検知信号を有効にする（以下、この状態を「警戒モード」という）。また、セキュリティ制御マイコン３８は、ドア錠駆動部２２，２３から出力される解錠完了信号が施解錠制御マイコン３４を介して入力されたとき、ドア錠が解錠されていると判断する。そして、セキュリティ制御マイコン３８は、警戒モードを解除して異常検知センサ３５からの異常検知信号を無効にする。つまり、セキュリティ制御マイコン３８は、ユーザが携帯機１１を所持して領域Ａ内に進入し、ＩＤコード照合が成立したときに警戒モードを解除する。また、セキュリティ制御マイコン３８は、施解錠制御マイコン３４から警戒モードキャンセル信号が入力された場合にも警戒モードを解除する。
【００３６】
セキュリティ制御マイコン３８は、警戒モードにおいてドア錠駆動部２２，２３からの解錠完了信号が入力された場合や、異常検知センサ３５から異常検知信号が入力された場合、警報部３６に作動信号を出力する。これにより、警報部３６から警報音が発せられる。また、セキュリティ制御マイコン３８は、施解錠制御マイコン３４からカバー検出信号が入力された場合、警報部３６に作動信号を出力する。従って、この場合も警報部３６から警報音（カバー警報）が発せられる。
【００３７】
次に、施解錠制御マイコン３４が行なうメカキー処理について、図５及び図６に示すフローチャートに従って詳細に説明する。メカキー処理は、メカキー１２による警戒モードの解除処理とメカキー１２による警戒モードの設定処理との２つの処理からなっている。まず、メカキー１２による警戒モードの解除処理について説明する。
【００３８】
＜メカキー１２による警戒モードの解除処理＞
施解錠制御マイコン３４は、外側アンテナＳＷ３１が押圧操作された際にＩＤコード照合が成立していない場合、図５に示すメカキー解除処理を実行する。まず、施解錠制御マイコン３４は、ステップ１００に示すようにメカキー１２が挿入されたか否かを判断する。具体的には、施解錠制御マイコン３４は、キーシリンダ部２６から入力される施錠位置信号または解錠位置信号からメカキー１２がキー挿入口２６ａに挿入されたか否かを判断する。ステップ１００において、外側アンテナＳＷ３１が押圧された状態でメカキー１２が挿入されたと判断した場合、施解錠制御マイコン３４はステップ１０１の処理に移行する。
【００３９】
ステップ１０１において、施解錠制御マイコン３４は、メカキー１２が回動された回数（回動回数）Ｎを施錠位置信号及び解錠位置信号よりカウンタを用いて算出する。そして、施解錠制御マイコン３４は、リセット設定時間Ｔ１以内にメカキー１２によってリセット回動回数Ｎ１回の回動操作が行われたか否かを判断する。具体的には、施解錠制御マイコン３４は、キーシリンダ部２６から入力される解錠位置信号または施錠位置信号に基づいてタイマを作動させ、メカキー１２がキー挿入口２６ａに挿入されてからの経過時間を測定する。そして、施解錠制御マイコン３４は、タイマの値がリセット設定時間Ｔ１になったときにおける回動回数Ｎが、リセット回動回数Ｎ１に等しいか否かを判断する。回動回数Ｎがリセット回動回数Ｎ１に等しいと判断した場合、施解錠制御マイコン３４は、ステップ１０２の処理に移行してカバー検出信号を無効にする。すなわち、ロングカバー２８をドア３から外しても警報部３６からカバー警報が発せられないようにカバー警報を解除する。
【００４０】
ステップ１０２の処理を完了すると、施解錠制御マイコン３４は、ステップ１０３の処理に移行して警報部３６を所定時間（例えば１秒間）にわたって作動させる。このように、施解錠制御マイコン３４は、メカキー１２を用いて所定時間内に予め設定された操作が行われた場合に警報部３６を作動させるようになっている。ステップ１０３の処理を完了すると、施解錠制御マイコン３４は、ステップ１０４の処理に移行し、セキュリティ制御マイコン３８に警戒モードキャンセル信号を出力することで警戒モードを解除させる。警戒モードを解除させた後、施解錠制御マイコン３４は、ステップ１０５の処理に移行して屋外表示部３０及び屋内表示部３７を消灯させてステップ１０６の処理に移行する。ステップ１０６において、施解錠制御マイコン３４は、メカキー１２によって警戒モードが解除された旨を示すフラグＦＧに「１」をセットしてここでの処理を終了する。
【００４１】
なお、ステップ１００において外側アンテナＳＷ３１が押圧操作された状態でメカキー１２が挿入されない場合や、ステップ１０１において回動回数Ｎがリセット回動回数Ｎ１に等しくない場合には、施解錠制御マイコン３４はここでの処理を終了する。
【００４２】
＜メカキー１２による警戒モードの設定処理＞
施解錠制御マイコン３４は、ドアが開かれた場合、図６に示すメカキー設定処理を行う。まず、施解錠制御マイコン３４は、ステップ１２０に示すように、フラグＦＧが「１」にセットされているか否かを判断する。フラグＦＧが「１」にセットされていると判断した場合、施解錠制御マイコン３４は、ステップ１２１の処理に移行して、メカキー１２が挿入されたか否かを判断する。すなわち、施解錠制御マイコン３４は、メカキー１２によって警戒モードが解除され、ドア３が開かれた場合にステップ１２１の処理を行うようになっている。つまり、施解錠制御マイコン３４は、携帯機１１を用いて警戒モードが解除された場合、ドア３が開かれてもステップ１２１の処理には移行しない。ステップ１２１において、ドア３が開かれた状態でメカキー１２が挿入されたと判断した場合、施解錠制御マイコン３４はステップ１２２の処理に移行する。
【００４３】
ステップ１２２において、施解錠制御マイコン３４は、施錠位置信号及び解錠位置信号よりカウンタを用いて回動回数Ｎを算出する。そして、施解錠制御マイコン３４は、セット設定時間Ｔ２以内にメカキー１２によってセット回動回数Ｎ２回の回動操作が行われたか否かを判断する。具体的には、施解錠制御マイコン３４は、キーシリンダ部２６から入力される解錠位置信号または施錠位置信号に基づいてタイマを作動させ、メカキー１２がキー挿入口２６ａに挿入されてからの経過時間を測定する。そして、施解錠制御マイコン３４は、タイマの値がセット設定時間Ｔ２になったときにおける回動回数Ｎが、セット回動回数Ｎ２に等しいか否かを判断する。回動回数Ｎがセット回動回数Ｎ２に等しいと判断した場合、施解錠制御マイコン３４は、ステップ１２３の処理に移行して警報部３６を所定時間（例えば３秒間）作動させる。このように、施解錠制御マイコン３４は、メカキー１２による警戒モードの解除処理の場合と同様に、メカキー１２を用いて所定時間内に予め設定された操作が行われた場合に警報部３６を作動させるようになっている。
【００４４】
ステップ１２３の処理を完了すると、施解錠制御マイコン３４は、ステップ１２４の処理に移行して、カバー装着制限時間Ｔ３以内にロングカバー２８がドア３に嵌められたか否かを判断する。詳しくは、施解錠制御マイコン３４は、ステップ１２３において警報部３６を作動させるとともにタイマを作動させて、警報部３６を作動させてからの経過時間を測定する。そして、施解錠制御マイコン３４は、タイマの値がカバー装着制限時間Ｔ３になるまでにカバー検出信号が入力されたか否かを判断する。カバー装着制限時間Ｔ３以内にロングカバー２８がドア３に嵌められたと判断した場合、施解錠制御マイコン３４は、ステップ１２５の処理に移行し、施錠駆動信号をドア錠駆動部２２，２３に出力してドア錠を施錠する。
【００４５】
ステップ１２５の処理を完了すると、施解錠制御マイコン３４は、ステップ１２６の処理に移行して警戒モード設定信号をセキュリティ制御マイコン３８に出力して警戒モードを設定する。警戒モードの設定後、施解錠制御マイコン３４は、ステップ１２７の処理に移行して屋外表示部３０及び屋内表示部３７を点滅させる。そして、施解錠制御マイコン３４は、ステップ１２８の処理に移行してフラグＦＧを「０」にクリアし、ここでの処理を終了する。
【００４６】
なお、ステップ１２０においてフラグＦＧが「１」にセットされていない場合、ステップ１２１においてメカキー１２が挿入されていないと判断した場合、ステップ１２２においてセット設定時間Ｔ２内での回動回数Ｎがセット回動回数Ｎ２に等しくない場合、施解錠制御マイコン３４はここでの処理を終了する。また、施解錠制御マイコン３４は、ステップ１２４においてロングカバー２８がカバー装着制限時間Ｔ３以内にドア３に嵌められていないと判断した場合、ここでの処理を終了する。
【００４７】
次に、上述したセキュリティシステム１の操作態様例について説明する。本実施形態においては、住宅２の住人であるユーザと、この住宅を警備する警備会社とを例にとって説明する。
【００４８】
＜ユーザの操作態様＞
外出時等において警戒モードを設定する場合、携帯機１１を所持して外側アンテナＳＷ３１を設定許可時間内に２度押圧する。この操作によってドア錠が施錠されるとともに、セキュリティシステム１は警戒モードに設定される。一方、帰宅時や在宅時には、携帯機１１を所持して領域Ａ内に侵入することにより、ドア錠が解錠されるとともにセキュリティシステム１の警戒モードが解除される。
【００４９】
＜警備会社の操作態様＞
住宅２の警備を行う場合、まずロングカバー２８を外して外側アンテナＳＷ３１を押圧しながらキー挿入口２６ａにメカキー１２を挿入する。なお、ロングカバー２８を外してキー挿入口２６ａにメカキー１２を挿入し、それから外側アンテナＳＷ３１を押圧操作してもよい。メカキー１２をキー挿入口２６ａに挿入した後、リセット設定時間Ｔ１以内にメカキー１２を施錠位置と解錠位置との間でリセット回動回数Ｎ１回だけ回動操作を繰り返すと、警報部３６が作動して警戒モードは解除される。警戒モードの解除とともに屋外表示部３０及び屋内表示部３７が消灯する。警備会社は、屋外表示部３０の消灯により警戒モードが解除されたことを認識できる。なお、この際、メカキー１２を解錠位置に回動させることによって、手動でドア錠を解錠できる。
【００５０】
警備終了後に警戒モードを再設定する場合、ドア３を開いた状態でキー挿入口２６ａにメカキー１２を挿入する。そして、セット設定時間Ｔ２以内にメカキー１２を解錠位置と施錠位置との間でセット回動回数Ｎ２だけ回動操作を繰り返すと警報部３６が作動する。警報部３６の作動後、カバー装着制限時間Ｔ３以内にロングカバー２８を嵌めてドア３を閉めることにより、自動的にドア錠が施錠されるとともにセキュリティシステム１は警戒モードに設定される。警戒モードに設定されると、屋外表示部３０及び屋内表示部３７が点滅する。
【００５１】
従って、本実施形態によれば以下のような効果を得ることができる。
（１）キーシリンダ部２６は、メカキー１２が挿入され、メカキー１２が施錠位置にある場合には施錠位置信号を出力し、メカキー１２が解錠位置にある場合には解錠位置信号を出力する。施解錠制御マイコン３４は、リセット設定時間Ｔ１において、解錠位置信号または施錠位置信号に基づいて求めた回動回数Ｎがリセット回動回数Ｎ１に等しい場合、警戒モードを解除する。このように、メカキー１２をキー挿入口２６ａに挿入して所定の態様で回動操作することで警戒モードを解除することができる。従って、安価なメカキー１２を用いて警戒モードの解除を行なうことができる。
【００５２】
（２）メカキー１２をキー挿入口２６ａに挿入した後、リセット設定時間Ｔ１内にリセット回動回数Ｎ１回だけ回動操作した場合に警戒モードは解除される。たとえメカキー１２をリセット回動回数Ｎ１回だけ回動させても、この回動操作に要する時間がリセット設定時間Ｔ１を経過した場合、警戒モードは解除されない。通常、ピッキング等の不正手段によるドア錠の解錠操作は、警備会社がメカキー１２を回動操作するのに比較して時間がかかるため、リセット設定時間Ｔ１及びリセット回動回数Ｎ１を大きな値に設定することで、第三者による住宅２への不法侵入を防止することができる。
【００５３】
（３）外側アンテナＳＷ３１が押圧操作され、且つメカキー１２がキー挿入口２６ａに挿入されてリセット設定時間Ｔ１内にリセット回動回数Ｎ１回だけ回動された場合に警戒モードは解除される。つまり、メカキー１２をキー挿入口２６ａに挿入してリセット設定時間内に回動しても、外側アンテナＳＷ３１を押圧操作しない場合にはドア錠を解錠できない。つまり、メカキー１２を用いて煩雑な操作を行わないと警戒モードは解除されない。従って、セキュリティシステム１のセキュリティ性を向上させることができる。
【００５４】
（４）施解錠制御マイコン３４は、メカキー１２によって警戒モードが解除された後にドア３が開かれ、メカキー１２が挿入されて回動されると、セット設定時間Ｔ２においてメカキー１２による回動回数Ｎがセット回動回数Ｎ２に等しい場合、ロングカバー２８が嵌められたことを条件に警戒モードを設定する。このように、メカキー１２をキー挿入口２６ａに挿入して所定の態様で回動操作することで警戒モードを設定することができる。従って、安価なメカキー１２を用いて警戒モードに設定することができる。
【００５５】
（５）施解錠制御マイコン３４は、メカキー１２によって警戒モードが解除された場合にメカキー１２による警戒モードの設定を可とする。つまり、施解錠制御マイコン３４は、ＩＤ信号または解錠操作信号からなる受信信号が入力されてＩＤコード照合の一致によりドア錠を解錠させた場合、その後メカキー１２によってセット設定時間Ｔ２にセット回動回数Ｎ２回だけ回動操作されても警戒モードに設定しない。通常、ユーザは携帯機１１を所持して領域Ａ内に侵入し、警戒モードを解除する。この場合、メカキー１２による警戒モードの設定は不可となるため、ユーザは、メカキー１２による操作を意識する必要がない。このため、メカキー１２による警戒モードの設定操作は、警備会社に利用されるがユーザには利用されない秘匿性の高い操作とすることができる。従って、セキュリティシステム１のセキュリティ性を向上させることができる。
【００５６】
（６）施解錠制御マイコン３４は、警戒モードを設定する際にドア錠を施錠させる。従って、ユーザは警戒モードを設定した場合、ドア錠を施錠するための操作を行う必要がない。従って、セキュリティシステム１の利便性を向上させることができる。
【００５７】
（７）メカキー１２をキー挿入口２６ａに挿入して、予め設定された条件のもとで回動操作することで警戒モードの解除及び設定ができるため、警備会社はメカキー１２を所持することで住宅２を警備することができる。メカキー１２は、電気的機能を一切有しないためメンテナンス不要である。また、電池切れの心配もない。従って、セキュリティシステムの利便性が向上する。
【００５８】
（８）メカキー１２を用いて警戒モードを解錠するには煩雑な操作を行う必要があるため、たとえ紛失してしまっても第三者によって警戒モードが解除される可能性は低い。また、メカキー１２は携帯機１１に比較して安価である。従って、子供等にも持たせることができ、セキュリティシステム１の利便性が向上する。
【００５９】
（９）施解錠制御マイコン３４は、メカキー１２による警戒モードの設定操作が行われると、警報部３６を作動させる。警報部３６を作動させることにより、ユーザは、メカキー１２による操作がセキュリティシステム１に認識されたか否かがわかる。従って、セキュリティシステム１の利便性が向上する。また、施解錠制御マイコン３４は、警報部３６を作動させた後にロングカバー２８が制限時間内にドア３に嵌められたか否かを判断している。このため、ユーザは、警報部３６が作動したことをもってロングカバー２８をドア３に嵌めればよい。つまり、ユーザは、ロングカバー２８を嵌めるタイミングがわかる。従って、セキュリティシステム１の利便性が向上する。
【００６０】
（１０）警戒モードが解除されると、屋外表示部３０及び屋内表示部３７は消灯する。一方、警戒モードが設定されると、屋外表示部３０及び屋内表示部３７は点滅する。このように、屋外表示部３０及び屋内表示部３７によって警戒モードの解除・設定が報知される。従って、警備会社は、屋外表示部３０及び屋内表示部３７の消灯・点滅によって警戒モードの解除・設定を容易に認識することができるので、セキュリティシステム１の利便性が向上する。
【００６１】
なお、本発明の実施形態は以下のように変更してもよい。
・本実施形態では、施解錠制御マイコン３４は、セット設定時間Ｔ２においてメカキー１２による回動回数Ｎがセット回動回数Ｎ２に等しいことを条件に警戒モードを設定していた。しかし、施解錠制御マイコン３４は、メカキー１２が挿入されて施錠位置に回動されたときに警戒モードを設定するようにしてもよい。
【００６２】
・本実施形態において、施解錠制御マイコン３４は、リセット設定時間Ｔ１内にメカキー１２がリセット回動回数Ｎ１だけ回動操作された場合、カバー警報を解除した後に警報部３６を作動させていた。また、施解錠制御マイコン３４は、セット設定時間Ｔ２内にメカキー１２がセット回動回数Ｎ２だけ回動操作されたときに警報部３６を作動させていた。しかし、施解錠制御マイコン３４は、警報部３６を作動させることに代えて所定の態様で屋外表示部３０や屋内表示部３７を点滅または点灯させてもよい。つまり、メカキー１２によって所定時間内に予め設定された操作が行われたことを施解錠制御マイコン３４が認識した旨を示す報知態様は、本実施形態における警報部３６の作動に限定されない。
【００６３】
また、施解錠制御マイコン３４は、警戒モードが解除または設定されたときに屋外表示部３０及び屋内表示部３７を消灯させていた。しかし、施解錠制御マイコン３４は、警戒モードが解除または設定されたときに警報部３６を作動させるようにしてもよい。つまり、警戒モードが解除または設定されたことを示す報知態様は、本実施形態における屋外表示部３０及び屋内表示部３７の消灯や点滅に限定されない。
【００６４】
・本実施形態において、施解錠制御マイコン３４は、メカキー１２によって所定時間内に予め設定された操作が行われた場合に警報部３６を作動させていた。しかし、施解錠制御マイコン３４は、メカキー１２によって所定時間内に予め設定された操作が行われた場合に警報部３６を作動させなくてもよい。ユーザは、屋外表示部３０及び屋内表示部３７の消灯によって警戒モードが解除されたことを認識でき、屋外表示部３０及び屋内表示部３７の点滅によって警戒モードが設定されたことを認識できる。このようにすれば、セキュリティシステム１の構成を簡単にすることができる。
【００６５】
・本実施形態において、施解錠制御マイコン３４は、予め設定された態様でメカキー１２の回動操作が行われロングカバー２８がカバー装着制限時間Ｔ３内にドア３に嵌められると、ドア錠を施錠していた。しかし、施解錠制御マイコン３４は、この時点で、ドア錠を施錠しなくてもよい。例えば、施解錠制御マイコン３４は、所定時間経過後にドア錠を施錠するようにしてもよい。
【００６６】
・本実施形態において、キーシリンダ部２６は、メカキー１２の位置を示す信号として施錠位置信号及び解錠位置信号を出力していた。しかし、これに代わり、ドア錠駆動部２２またはドア錠駆動部２３がロックバー２２ａまたは２３ａの位置を検出して施錠位置信号及び解錠位置信号を出力するようにしてもよい。この場合、施解錠制御マイコン３４は、ドア錠駆動部２２またはドア錠駆動部２３から入力される施錠位置信号及び解錠位置信号に基づいてメカキー１２の回動回数Ｎを算出するように変更される。つまり、ドア錠駆動部２２またはドア錠駆動部２３を検出手段として用いてもよい。
【００６７】
次に、本実施形態及び他の実施形態から把握できる技術的思想について以下に追記する。
（１）請求項３に記載の発明において、前記制御手段は、前記メカキーによって前記警戒モードが解除された場合に前記警戒モードの設定を可とすること。
【００６８】
（２）請求項３または技術的思想（１）に記載の発明において、前記制御手段は、前記警戒モードを解除した際にその旨を示すフラグをセットし、前記メカキーによって前記警戒モードが解除された後、前記フラグがセットされている場合に前記警戒モードの設定を可とすること。
【００６９】
（３）請求項１〜３、技術的思想（１），（２）に記載の発明において、前記ドアまたは該ドア周辺に設けられた報知手段を備え、前記制御手段は、所定時間内に前記検出信号が入力された場合、前記報知手段を作動させること。なお、報知手段は、本実施形態の警報部、屋内表示部、及び屋外表示部のうち少なくとも１つに相当する。
【図面の簡単な説明】
【００７０】
【図１】本実施形態におけるセキュリティシステムの斜視図。
【図２】同じく、セキュリティシステムの側面図。
【図３】同じく、セキュリティシステムにおける屋外アンテナ部の拡大図。
【図４】同じく、セキュリティシステムのブロック図。
【図５】同じく、セキュリティシステムにおいて施解錠制御マイコンが行うメカキー解除処理のフローチャート。
【図６】同じく、セキュリティシステムにおいて施解錠制御マイコンが行うメカキー設定処理のフローチャート。
【符号の説明】
【００７１】
１…セキュリティシステム、３…ドア、１１…携帯機、１２…メカキー、２６…検出手段としてのキーシリンダ部、３１…操作部としての外側アンテナスイッチ（外側アンテナＳＷ）、３４…制御手段としての施解錠制御マイコン、３８…制御手段としてのセキュリティ制御マイコン。
【図１】
2005078434.tif 000003
【図２】
2005078434.tif 000004
【図３】
2005078434.tif 000005
【図４】
2005078434.tif 000006
【図５】
2005078434.tif 000007
【図６】
2005078434.tif 000008